(57)【要約】  オペレータ制御APNルーティングマッピングのためのシステムおよび方法について、本明細書で説明する。一実施形態では、ワイヤレス通信システムにおいてポリシー評価をルーティングするための方法は、ホームネットワークから、ネットワークノードルーティングに関連付けられたホームネットワークポリシーを含むメッセージを受信するステップと、訪問先ネットワークから、ネットワークノードルーティングに関連付けられた訪問先ネットワークポリシーを含む別のメッセージを受信するステップとを含む。この方法はまた、ワイヤレスノードオフロードまたは指定されたアクセスポイント名(APN)のうちの1つを介してデータトラフィックをルーティングするかどうかを決定するためにホームネットワークポリシーを評価するステップと、ホームネットワークポリシーが訪問先ネットワークポリシーよりも優先するかどうかを決定するためにホームネットワークポリシーを評価するステップと、ホームネットワークポリシーが優先すると決定したことに応答してデータトラフィックをルーティングすることに関連付けられた訪問先ネットワークポリシーのルールを無視するステップとを含む。
2016530834.tif 000002
【特許請求の範囲】
【請求項１】
ワイヤレス通信システムにおいてポリシー評価をルーティングするための方法であって、
ホームネットワークから、ネットワークノードルーティングに関連付けられたホームネットワークポリシーを含むメッセージを受信するステップと、
訪問先ネットワークから、ネットワークノードルーティングに関連付けられた訪問先ネットワークポリシーを含む別のメッセージを受信するステップと、
ワイヤレスノードオフロードまたは指定されたアクセスポイント名(APN)のうちの1つを介してデータトラフィックをルーティングするかどうかを決定するために前記ホームネットワークポリシーを評価するステップと、
前記ホームネットワークポリシーが前記訪問先ネットワークポリシーよりも優先するかどうかを決定するために前記ホームネットワークポリシーを評価するステップと、
前記ホームネットワークポリシーが優先すると決定したことに応答して前記データトラフィックをルーティングすることに関連付けられた前記訪問先ネットワークポリシーのルールを無視するステップと
を含む方法。
【請求項２】
前記ホームネットワークポリシーが、前記ホームネットワークポリシーが優先するかどうかを示すインジケータフラグを含み、前記ホームネットワークポリシーが優先するかどうかを決定するために前記ホームネットワークポリシーを評価するステップが、前記インジケータフラグに基づく、請求項1に記載の方法。
【請求項３】
前記ホームネットワークポリシーが、訪問先ネットワークのリストを含み、
前記ホームネットワークが優先するかどうかを決定するために前記ホームネットワークポリシーを評価するステップが、前記訪問先ネットワークが訪問先ネットワークの前記リスト内にあるかどうかを決定するステップを含む、請求項1に記載の方法。
【請求項４】
前記ホームネットワークが優先するかどうかを決定するために前記ホームネットワークポリシーを評価するステップが、前記訪問先ネットワークが訪問先ネットワークの前記リスト内にある場合、前記ホームネットワークポリシーが優先することを決定するステップを含む、請求項3に記載の方法。
【請求項５】
前記ホームネットワークが優先するかどうかを決定するために前記ホームネットワークポリシーを評価するステップが、前記訪問先ネットワークが訪問先ネットワークの前記リスト内にない場合、前記ホームネットワークポリシーが優先することを決定するステップを含む、請求項3に記載の方法。
【請求項６】
前記ホームネットワークポリシーがAPN間ルーティングポリシーを含み、前記訪問先ネットワークポリシーがシステム間ルーティングポリシーを含む、請求項1に記載の方法。
【請求項７】
前記ホームネットワークポリシーが優先しないことを決定したことに応答して、前記ホームネットワークポリシーから決定された前記データトラフィックの前記ルーティングを前記訪問先ネットワークポリシーがオーバーライドできるようにするステップをさらに含む、請求項1に記載の方法。
【請求項８】
前記ホームネットワークポリシーが、複数のフィルタルールと、前記複数のフィルタルールのうちのどれが、前記訪問先ネットワークポリシーよりも優先するかを示す1つまたは複数のインジケータとを含み、前記ホームネットワークポリシーが優先するかどうかを決定するために前記ホームネットワークポリシーを評価するステップが、
前記複数のフィルタルールのうちのどの1つが前記データトラフィックに対応するかを決定するステップと、
前記1つまたは複数のインジケータのうちの少なくとも1つに基づいて前記複数のフィルタルールのうちの前記1つが前記訪問先ネットワークポリシーよりも優先するかどうかを決定するステップと
を含む、請求項1に記載の方法。
【請求項９】
ワイヤレスオフロードまたは前記指定されたAPNのうちの1つを介して前記データトラフィックをルーティングするかどうかを決定するために前記ホームネットワークポリシーを評価するステップが、前記複数のフィルタルールのうちの前記1つに基づく、請求項8に記載の方法。
【請求項１０】
前記ホームネットワークポリシーが非シームレスなワイヤレスローカルエリアネットワーク(WLAN)オフロード(NSWO)を示し、前記方法が、
前記ルールを無視するステップの後に、前記訪問先ネットワークポリシーの有効性条件が変わったかどうかを決定するステップと、
前記有効性条件が変わったこと、および前記訪問先ネットワークの前記ルールが有効になったことを決定したことに応答して、前記訪問先ネットワークの前記ルールに基づいて前記データトラフィックをルーティングするステップと
をさらに含む、請求項1に記載の方法。
【請求項１１】
ワイヤレス通信システムにおいてポリシー評価をルーティングするための装置であって、
ホームネットワークから、ネットワークノードルーティングに関連付けられたホームネットワークポリシーを含むメッセージを受信するための手段と、
訪問先ネットワークから、ネットワークノードルーティングに関連付けられた訪問先ネットワークポリシーを含む別のメッセージを受信するための手段と、
ワイヤレスノードオフロードまたは指定されたアクセスポイント名(APN)のうちの1つを介してデータトラフィックをルーティングするかどうかを決定するために前記ホームネットワークポリシーを評価するための手段と、
前記ホームネットワークポリシーが前記訪問先ネットワークポリシーよりも優先するかどうかを決定するために前記ホームネットワークポリシーを評価するための手段と、
前記ホームネットワークポリシーが優先すると決定したことに応答して前記データトラフィックをルーティングすることに関連付けられた前記訪問先ネットワークポリシーのルールを無視するための手段と
を含む装置。
【請求項１２】
前記ホームネットワークポリシーが、前記ホームネットワークポリシーが優先するかどうかを示すインジケータフラグを含み、前記ホームネットワークポリシーが優先するかどうかを決定するために前記ホームネットワークポリシーを評価するための前記手段が、前記インジケータフラグに基づいて前記ホームネットワークポリシーが優先するかどうかを決定する、請求項11に記載の装置。
【請求項１３】
前記ホームネットワークポリシーが、訪問先ネットワークのリストを含み、前記ホームネットワークが優先するかどうかを決定するために前記ホームネットワークポリシーを評価するための前記手段が、前記訪問先ネットワークが訪問先ネットワークの前記リスト内にあるかどうかを決定するための手段を含む、請求項11に記載の装置。
【請求項１４】
前記ホームネットワークが優先するかどうかを決定するために前記ホームネットワークポリシーを評価するための前記手段が、前記訪問先ネットワークが訪問先ネットワークの前記リスト内にある場合、前記ホームネットワークポリシーが優先することを決定するための手段を含む、請求項13に記載の装置。
【請求項１５】
前記ホームネットワークが優先するかどうかを決定するために前記ホームネットワークポリシーを評価するための前記手段が、前記訪問先ネットワークが訪問先ネットワークの前記リスト内にない場合、前記ホームネットワークポリシーが優先することを決定するための手段を含む、請求項13に記載の装置。
【請求項１６】
前記ホームネットワークポリシーがAPN間ルーティングポリシーを含み、前記訪問先ネットワークポリシーがシステム間ルーティングポリシーを含む、請求項11に記載の装置。
【請求項１７】
前記ホームネットワークポリシーが優先しないことを決定したことに応答して、前記ホームネットワークポリシーから決定された前記データトラフィックの前記ルーティングを前記訪問先ネットワークポリシーがオーバーライドできるようにするための手段をさらに含む、請求項11に記載の装置。
【請求項１８】
前記ホームネットワークポリシーが、複数のフィルタルールと、前記複数のフィルタルールのうちのどれが、前記訪問先ネットワークポリシーよりも優先するかを示す1つまたは複数のインジケータとを含み、前記ホームネットワークポリシーが優先するかどうかを決定するために前記ホームネットワークポリシーを評価するための手段が、
前記複数のフィルタルールのうちのどの1つが前記データトラフィックに対応するかを決定するための手段と、
前記1つまたは複数のインジケータのうちの少なくとも1つに基づいて前記複数のフィルタルールのうちの前記1つが前記訪問先ネットワークポリシーよりも優先するかどうかを決定するための手段と
を含む、請求項11に記載の装置。
【請求項１９】
ワイヤレスオフロードまたは前記指定されたAPNのうちの1つを介して前記データトラフィックをルーティングするかどうかを決定するために前記ホームネットワークポリシーを評価することが、前記複数のフィルタルールのうちの前記1つに基づいて前記ワイヤレスオフロードまたは前記指定されたAPNのうちの1つを介して前記データトラフィックをルーティングするかどうかを決定する、請求項18に記載の装置。
【請求項２０】
前記ホームネットワークポリシーが非シームレスなワイヤレスローカルエリアネットワーク(WLAN)オフロード(NSWO)を示し、前記装置が、
前記ルールを無視することの後に、前記訪問先ネットワークポリシーの有効性条件が変わったかどうかを決定するための手段と、
前記有効性条件が変わったこと、および前記訪問先ネットワークの前記ルールが有効になったことを決定したことに応答して、前記訪問先ネットワークの前記ルールに基づいて前記データトラフィックをルーティングするための手段と
をさらに含む、請求項11に記載の装置。
【請求項２１】
ホームネットワークから、ネットワークノードルーティングに関連付けられたホームネットワークポリシーを含むメッセージを受信し、
訪問先ネットワークから、ネットワークノードルーティングに関連付けられた訪問先ネットワークポリシーを含む別のメッセージを受信する
ように構成されたトランシーバと、
ワイヤレスノードオフロードまたは指定されたアクセスポイント名(APN)のうちの1つを介してデータトラフィックをルーティングするかどうかを決定するために前記ホームネットワークポリシーを評価し、
前記ホームネットワークポリシーが前記訪問先ネットワークポリシーよりも優先するかどうかを決定するために前記ホームネットワークポリシーを評価し、
前記ホームネットワークポリシーが優先すると決定したことに応答して前記データトラフィックをルーティングすることに関連付けられた前記訪問先ネットワークポリシーのルールを無視する
ように構成された少なくとも1つのプロセッサと、
前記少なくとも1つのプロセッサに結合されたデータを記憶するためのメモリと
を含む装置。
【請求項２２】
前記ホームネットワークポリシーが、前記ホームネットワークポリシーが優先するかどうかを示すインジケータフラグを含み、前記少なくとも1つのプロセッサが、前記インジケータフラグに基づいて前記ホームネットワークポリシーが優先するかどうかを決定するために前記ホームネットワークポリシーを評価するように構成される、請求項21に記載の装置。
【請求項２３】
前記ホームネットワークポリシーが、訪問先ネットワークのリストを含み、前記少なくとも1つのプロセッサが、前記訪問先ネットワークが訪問先ネットワークの前記リスト内にあるかどうかを決定することによって、前記ホームネットワークが優先するかどうかを決定するために前記ホームネットワークポリシーを評価するように構成される、請求項21に記載の装置。
【請求項２４】
前記少なくとも1つのプロセッサが、前記訪問先ネットワークが訪問先ネットワークの前記リスト内にある場合、前記ホームネットワークポリシーが優先することを決定することによって、前記ホームネットワークが優先するかどうかを決定するために前記ホームネットワークポリシーを評価するように構成される、請求項23に記載の装置。
【請求項２５】
前記少なくとも1つのプロセッサが、前記訪問先ネットワークが訪問先ネットワークの前記リスト内にない場合、前記ホームネットワークポリシーが優先することを決定することによって、前記ホームネットワークが優先するかどうかを決定するために前記ホームネットワークポリシーを評価するように構成される、請求項23に記載の装置。
【請求項２６】
前記ホームネットワークポリシーがAPN間ルーティングポリシーを含み、前記訪問先ネットワークポリシーがシステム間ルーティングポリシーを含む、請求項21に記載の装置。
【請求項２７】
前記少なくとも1つのプロセッサが、前記ホームネットワークポリシーが優先しないことを決定したことに応答して、前記ホームネットワークポリシーから決定された前記データトラフィックの前記ルーティングを前記訪問先ネットワークポリシーがオーバーライドできるようにするように構成される、請求項21に記載の装置。
【請求項２８】
前記ホームネットワークポリシーが、複数のフィルタルールと、前記複数のフィルタルールのうちのどれが、前記訪問先ネットワークポリシーよりも優先するかを示す1つまたは複数のインジケータとを含み、前記少なくとも1つのプロセッサが、
前記複数のフィルタルールのうちのどの1つが前記データトラフィックに対応するかを決定し、
前記1つまたは複数のインジケータのうちの少なくとも1つに基づいて前記複数のフィルタルールのうちの前記1つが前記訪問先ネットワークポリシーよりも優先するかどうかを決定する
ことによって、前記ホームネットワークポリシーが優先するかどうかを決定するために前記ホームネットワークポリシーを評価するように構成される、請求項21に記載の装置。
【請求項２９】
前記少なくとも1つのプロセッサが、前記複数のフィルタルールのうちの前記1つに基づいてワイヤレスオフロードまたは前記指定されたAPNのうちの1つを介して前記データトラフィックをルーティングするかどうかを決定するために前記ホームネットワークポリシーを評価するように構成される、請求項28に記載の装置。
【請求項３０】
前記ホームネットワークポリシーが非シームレスなワイヤレスローカルエリアネットワーク(WLAN)オフロード(NSWO)を示し、前記少なくとも1つのプロセッサが、
前記ルールを無視することの後に、前記訪問先ネットワークポリシーの有効性条件が変わったかどうかを決定し、
前記有効性条件が変わったこと、および前記訪問先ネットワークの前記ルールが有効になったことを決定したことに応答して、前記訪問先ネットワークの前記ルールに基づいて前記データトラフィックをルーティングする
ようにさらに構成される、請求項21に記載の装置。
【請求項３１】
少なくとも1つのコンピュータに、
ホームネットワークから、ネットワークノードルーティングに関連付けられたホームネットワークポリシーを含むメッセージを受信させ、
訪問先ネットワークから、ネットワークノードルーティングに関連付けられた訪問先ネットワークポリシーを含む別のメッセージを受信させ、
ワイヤレスノードオフロードまたは指定されたアクセスポイント名(APN)のうちの1つを介してデータトラフィックをルーティングするかどうかを決定するために前記ホームネットワークポリシーを評価させ、
前記ホームネットワークポリシーが前記訪問先ネットワークポリシーよりも優先するかどうかを決定するために前記ホームネットワークポリシーを評価させ、
前記ホームネットワークポリシーが優先すると決定したことに応答して前記データトラフィックをルーティングすることに関連付けられた前記訪問先ネットワークポリシーのルールを無視させる
ためのコードを記憶するコンピュータ可読記憶媒体。
【請求項３２】
前記ホームネットワークポリシーが、前記ホームネットワークポリシーが優先するかどうかを示すインジケータフラグを含み、前記少なくとも1つのプロセッサに、前記ホームネットワークポリシーが優先するかどうかを決定するために前記ホームネットワークポリシーを評価させるための前記コードが、前記少なくとも1つのプロセッサに、前記インジケータフラグに基づいて前記ホームネットワークポリシーを評価させるためのコードを含む、請求項31に記載のコンピュータ可読記憶媒体。
【請求項３３】
前記ホームネットワークポリシーが、訪問先ネットワークのリストを含み、前記少なくとも1つのプロセッサに、前記ホームネットワークが優先するかどうかを決定するために前記ホームネットワークポリシーを評価させるための前記コードが、前記少なくとも1つのプロセッサに、前記訪問先ネットワークが訪問先ネットワークの前記リスト内にあるかどうかを決定させるためのコードを含む、請求項31に記載のコンピュータ可読記憶媒体。
【請求項３４】
前記少なくとも1つのプロセッサに、前記ホームネットワークが優先するかどうかを決定するために前記ホームネットワークポリシーを評価させるための前記コードが、前記少なくとも1つのプロセッサに、前記訪問先ネットワークが訪問先ネットワークの前記リスト内にある場合、前記ホームネットワークポリシーが優先することを決定させるためのコードを含む、請求項33に記載のコンピュータ可読記憶媒体。
【請求項３５】
前記少なくとも1つのプロセッサに、前記ホームネットワークが優先するかどうかを決定するために前記ホームネットワークポリシーを評価させるための前記コードが、前記少なくとも1つのプロセッサに、前記訪問先ネットワークが訪問先ネットワークの前記リスト内にない場合、前記ホームネットワークポリシーが優先することを決定させるためのコードを含む、請求項33に記載のコンピュータ可読記憶媒体。
【請求項３６】
前記ホームネットワークポリシーがAPN間ルーティングポリシーを含み、前記訪問先ネットワークポリシーがシステム間ルーティングポリシーを含む、請求項31に記載のコンピュータ可読記憶媒体。
【請求項３７】
前記少なくとも1つのプロセッサに、前記ホームネットワークポリシーが優先しないことを決定したことに応答して、前記ホームネットワークポリシーから決定された前記データトラフィックの前記ルーティングを前記訪問先ネットワークポリシーがオーバーライドできるようにさせるためのコードをさらに含む、請求項31に記載のコンピュータ可読記憶媒体。
【請求項３８】
前記ホームネットワークポリシーが、複数のフィルタルールと、前記複数のフィルタルールのうちのどれが、前記訪問先ネットワークポリシーよりも優先するかを示す1つまたは複数のインジケータとを含み、前記少なくとも1つのプロセッサに、前記ホームネットワークポリシーが優先するかどうかを決定するために前記ホームネットワークポリシーを評価させるための前記コードが、前記少なくとも1つのプロセッサに、
前記複数のフィルタルールのうちのどの1つが前記データトラフィックに対応するかを決定させ、
前記1つまたは複数のインジケータのうちの少なくとも1つに基づいて前記複数のフィルタルールのうちの前記1つが前記訪問先ネットワークポリシーよりも優先するかどうかを決定させる
ためのコードを含む、請求項31に記載のコンピュータ可読記憶媒体。
【請求項３９】
前記少なくとも1つのプロセッサに、ワイヤレスオフロードまたは前記指定されたAPNのうちの1つを介して前記データトラフィックをルーティングするかどうかを決定するために前記ホームネットワークポリシーを評価させるための前記コードが、前記少なくとも1つのプロセッサに、前記複数のフィルタルールのうちの前記1つに基づいて前記ワイヤレスオフロードまたは前記指定されたAPNのうちの1つを介して前記データトラフィックをルーティングするかどうかを決定するために前記ホームネットワークポリシーを評価させるためのコードを含む、請求項38に記載のコンピュータ可読記憶媒体。
【請求項４０】
前記ホームネットワークポリシーが非シームレスなワイヤレスローカルエリアネットワーク(WLAN)オフロード(NSWO)を示し、前記コンピュータ可読記憶媒体が、前記少なくとも1つのプロセッサに、
前記ルールを無視することの後に、前記訪問先ネットワークポリシーの有効性条件が変わったかどうかを決定させ、
前記有効性条件が変わったこと、および前記訪問先ネットワークの前記ルールが有効になったことを決定したことに応答して、前記訪問先ネットワークの前記ルールに基づいて前記データトラフィックをルーティングさせる
ためのコードをさらに含む、請求項31に記載のコンピュータ可読記憶媒体。
【発明の詳細な説明】
【技術分野】
【０００１】
関連出願
本出願は、その内容全体が参照により本明細書に組み込まれている、2013年9月4日に出願した米国仮出願第61/873,810号の米国特許法第119条(e)項に基づく優先権を主張するものである。
【０００２】
本開示の態様は、一般に、ワイヤレス通信システムに関し、より詳細には、アクセスポイント名(APN)ルートマッピングに関する。
【背景技術】
【０００３】
ワイヤレス通信ネットワークは、音声、ビデオ、パケットデータ、メッセージング、ブロードキャストなどの、様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
ワイヤレス通信ネットワークは、たとえば移動局(STA)、ラップトップ、セルフォン、PDA、タブレットなど、いくつかのモバイルデバイスのための通信をサポートすることができるいくつかのアクセスポイントを含み得る。モバイルデバイスは、ダウンリンク(DL)およびアップリンク(UL)を介してアクセスポイントと通信し得る。DL(または順方向リンク)はアクセスポイントからモバイルデバイスへの通信リンクを指し、かつUL(または逆方向リンク)はモバイルデバイスからアクセスへの通信リンクを指す。
【発明の概要】
【課題を解決するための手段】
【０００５】
以下では、1つまたは複数の実施形態を基本的に理解してもらうために、そのような実施形態の簡略化された概要を提示する。この概要は、すべての考察された実施形態の包括的な概要ではなく、すべての実施形態の主要な要素または重要な要素を識別するものではなく、いずれかの実施形態またはすべての実施形態の範囲を定めるものでもない。その唯一の目的は、後に提示されるより詳細な説明の導入として、1つまたは複数の実施形態のいくつかの概念を簡略化された形で提示することである。
【０００６】
一態様によれば、ワイヤレス通信システムにおいてポリシー評価をルーティングするための方法について、本明細書で説明する。この方法は、ホームネットワークから、ネットワークノードルーティングに関連付けられたホームネットワークポリシーを含むメッセージを受信するステップと、訪問先ネットワークから、ネットワークノードルーティングに関連付けられた訪問先ネットワークポリシーを含む別のメッセージを受信するステップとを含む。この方法はまた、ワイヤレスノードオフロードまたは指定されたアクセスポイント名(APN)のうちの1つを介してデータトラフィックをルーティングするかどうかを決定するためにホームネットワークポリシーを評価するステップと、ホームネットワークポリシーが訪問先ネットワークポリシーよりも優先するかどうかを決定するためにホームネットワークポリシーを評価するステップと、ホームネットワークポリシーが優先すると決定したことに応答してデータトラフィックをルーティングすることに関連付けられた訪問先ネットワークポリシーのルールを無視するステップとを含む。
【０００７】
第2の態様は、ワイヤレス通信システムにおいてポリシー評価をルーティングするための装置に関する。この装置は、ホームネットワークから、ネットワークノードルーティングに関連付けられたホームネットワークポリシーを含むメッセージを受信するための手段と、訪問先ネットワークから、ネットワークノードルーティングに関連付けられた訪問先ネットワークポリシーを含む別のメッセージを受信するための手段とを含む。この装置はまた、ワイヤレスノードオフロードまたは指定されたアクセスポイント名(APN)のうちの1つを介してデータトラフィックをルーティングするかどうかを決定するためにホームネットワークポリシーを評価するための手段と、ホームネットワークポリシーが訪問先ネットワークポリシーよりも優先するかどうかを決定するためにホームネットワークポリシーを評価するための手段と、ホームネットワークポリシーが優先すると決定したことに応答してデータトラフィックをルーティングすることに関連付けられた訪問先ネットワークポリシーのルールを無視するための手段とを含む。
【０００８】
第3の態様は、装置に関係する。この装置は、ホームネットワークから、ネットワークノードルーティングに関連付けられたホームネットワークポリシーを含むメッセージを受信し、訪問先ネットワークから、ネットワークノードルーティングに関連付けられた訪問先ネットワークポリシーを含む別のメッセージを受信するように構成されるトランシーバを含む。この装置はまた、ワイヤレスノードオフロードまたは指定されたアクセスポイント名(APN)のうちの1つを介してデータトラフィックをルーティングするかどうかを決定するためにホームネットワークポリシーを評価し、ホームネットワークポリシーが訪問先ネットワークポリシーよりも優先するかどうかを決定するためにホームネットワークポリシーを評価し、ホームネットワークポリシーが優先すると決定したことに応答してデータトラフィックをルーティングすることに関連付けられた訪問先ネットワークポリシーのルールを無視するように構成される少なくとも1つのプロセッサを含む。この装置は、データを記憶するための少なくとも1つのプロセッサに結合されたメモリをさらに含む。
【０００９】
第4の態様は、コンピュータプログラム製品に関係する。このコンピュータプログラム製品は、少なくとも1つのコンピュータに、ホームネットワークから、ネットワークノードルーティングに関連付けられたホームネットワークポリシーを含むメッセージを受信させ、訪問先ネットワークから、ネットワークノードルーティングに関連付けられた訪問先ネットワークポリシーを含む別のメッセージを受信させるためのコードを記憶するコンピュータ可読媒体を含む。このコンピュータプログラム製品はまた、少なくとも1つのプロセッサに、ワイヤレスノードオフロードまたは指定されたアクセスポイント名(APN)のうちの1つを介してデータトラフィックをルーティングするかどうかを決定するためにホームネットワークポリシーを評価させ、ホームネットワークポリシーが訪問先ネットワークポリシーよりも優先するかどうかを決定するためにホームネットワークポリシーを評価させ、ホームネットワークポリシーが優先すると決定したことに応答してデータトラフィックをルーティングすることに関連付けられた訪問先ネットワークポリシーのルールを無視させるためのコードを含む。
【図面の簡単な説明】
【００１０】
【図１】電気通信システムの一例を概念的に示すブロック図である。
【図２】本開示の一態様により構成される、基地局/eNBおよびUEの設計を概念的に示すブロック図である。
【図３Ａ】WLANおよびワイヤレスネットワークを含む例示的なワイヤレス通信システムを概念的に示すブロック図である。
【図３Ｂ】PLMNのフラグおよび/またはリストを含む例示的なポリシーを概念的に示すブロック図である。
【図３Ｃ】PLMNのフラグおよび/またはリストを含む例示的なポリシーを概念的に示すブロック図である。
【図４】ポリシー評価をルーティングするための方法の実施形態を示す図である。
【図５】図4の方法を実施するための例示的な装置を示す図である。
【発明を実施するための形態】
【００１１】
添付の図面に関して以下に記載する詳細な説明は、様々な構成の説明として意図されており、本明細書で説明する概念が実施され得る唯一の構成を表すことを意図していない。詳細な説明は、様々な概念の完全な理解を与えるための具体的な詳細を含む。しかしながら、これらの概念がこれらの具体的な詳細なしに実施され得ることが、当業者には明らかであろう。いくつかの例では、そのような概念を曖昧にするのを防ぐために、よく知られた構造および構成要素がブロック図の形態において示されている。
【００１２】
本明細書で説明される技法は、CDMA、TDMA、FDMA、OFDMA、SC-FDMAおよび他のネットワークのような、様々なワイヤレス通信ネットワークに使用される場合がある。「ネットワーク」および「システム」という用語は、しばしば互換的に使用される。CDMAネットワークは、Universal Terrestrial Radio Access(UTRA)、CDMA2000などの無線技術を実装し得る。UTRAは、Wideband CDMA(WCDMA(登録商標))およびCDMAの他の変形形態を含む。CDMA2000は、IS-2000規格、IS-95規格およびIS-856規格を包含する。TDMAネットワークは、モバイル通信用グローバルシステム(GSM(登録商標))などの無線技術を実装し得る。OFDMAネットワークは、Evolved UTRA(E-UTRA)、Ultra Mobile Broadband(UMB)、IEEE802.11(Wi-Fi)、IEEE802.16(WiMAX)、IEEE802.20、Flash-OFDMAなどのような無線技術を実装し得る。UTRAおよびE-UTRAは、ユニバーサルモバイル通信システム(UMTS)の一部である。3GPP Long Term Evolution(LTE)およびLTE-Advanced(LTE-A)は、E-UTRAを用いるUMTSの新しいリリースである。UTRA、E-UTRA、UMTS、LTE、LTE-AおよびGSM(登録商標)は、「3rd Generation Partnership Project」(3GPP)と称する組織からの文書に記載されている。CDMA2000およびUMBは、「3rd Generation Partnership Project 2」(3GPP2)という名称の組織からの文書で説明されている。本明細書で説明される技法は、上記のワイヤレスネットワークおよび無線技術、ならびに他のワイヤレスネットワークおよび無線技術で使用され得る。明快のために、本技法のいくつかの態様が、以下ではLTEに関して説明され、以下の説明の大部分でLTE用語が使用される。
【００１３】
図1は、LTEネットワークであり得るワイヤレス通信ネットワーク100を示している。ワイヤレスネットワーク100は、いくつかのeNB110と他のネットワークエンティティとを含み得る。eNBは、UEと通信する局でもよく、基地局、ノードB、アクセスポイント、または他の用語でも呼ばれ得る。各eNB110a、110b、110cは、特定の地理的エリアのための通信カバレッジを提供することができる。3GPPでは、「セル」という用語は、この用語が使用される状況に応じて、eNBのカバレッジエリアおよび/またはこのカバレッジエリアにサービスしているeNBサブシステムを指すことがある。
【００１４】
eNBは、マクロセル、ピコセル、フェムトセル、および/または他のタイプのセルのための通信カバレッジを提供することができる。マクロセルは、比較的大きい地理的エリア(たとえば、半径数キロメートル)をカバーすることができ、サービスに加入しているUEによる無制限のアクセスを可能にし得る。ピコセルは、比較的小さい地理的エリアをカバーすることができ、サービスに加入しているUEによる無制限のアクセスを可能にし得る。フェムトセルは、比較的小さい地理的エリア(たとえば、自宅)をカバーすることができ、そのフェムトセルとの関連性を有するUE(たとえば、クローズド加入者グループ(CSG: Closed Subscriber Group)内のUE、自宅内のユーザのUEなど)による制限されたアクセスを可能にし得る。マクロセルのためのeNBは、マクロeNBと呼ばれ得る。ピコセル用のeNBはピコeNBと呼ばれることがある。フェムトセルのためのeNBは、フェムトeNBまたはホームeNB(HNB)と呼ばれ得る。図1に示される例では、eNB110a、110bおよび110cは、それぞれマクロセル102a、102bおよび102cのマクロeNBであり得る。eNB110xは、UE120xにサービスする、ピコセル102xのピコeNBであり得る。また、eNB110yおよび110zは、それぞれ、フェムトセル102yおよび102zのためのフェムトeNBである。eNBは、1つまたは複数(たとえば、3つ)のセルをサポートすることができる。
【００１５】
ワイヤレスネットワーク100はまた、中継局110rを含み得る。中継局は、アップストリーム局(たとえば、eNBまたはUE)からのデータおよび/または他の情報の送信を受信し、ダウンストリーム局(たとえば、UEまたはeNB)へのデータおよび/または他の情報の送信を送る局である。中継局はまた、他のUEのための送信を中継するUEでもよい。図1に示される例では、中継局110rは、eNB110aとUE120rとの間の通信を円滑化するために、eNB110aおよびUE120rと通信することができる。中継局はまた、リレーeNB、リレーなどとも呼ばれ得る。
【００１６】
ワイヤレスネットワーク100は、様々なタイプのeNB、たとえば、マクロeNB、ピコeNB、フェムトeNB、リレーなどを含む異種ネットワークであり得る。これらの異なるタイプのeNBは、異なる送信電力レベル、異なるカバレッジエリア、およびワイヤレスネットワーク100での干渉に対する異なる影響を有し得る。たとえば、マクロeNBは高い送信電力レベル(たとえば、20ワット)を有することがあり、一方、ピコeNB、フェムトeNBおよびリレーはより低い送信電力レベル(たとえば、1ワット)を有し得る。
【００１７】
ワイヤレスネットワーク100は、同期または非同期動作をサポートすることができる。ブロードキャストマルチキャスト動作は、画定されたエリア内の基地局の同期を必要とし得るが、本技術は、それによって制限されない。同期動作の場合、eNBは同様のフレームタイミングを有してよく、異なるeNBからの送信は概ね時間的に揃えられ得る。非同期動作の場合、eNBは異なるフレームタイミングを有してよく、異なるeNBからの送信は時間的に揃えられないことがある。本明細書で説明される技法は、同期動作と非同期動作の両方に対して使用され得る。
【００１８】
ネットワークコントローラ130は、1セットのeNBに結合し、これらのeNBの協調および制御を実現することができる。ネットワークコントローラ130は、バックホールを介してeNB110と通信することができる。eNB110はまた、たとえば、直接またはワイヤレスもしくはワイヤラインバックホールを介して間接的に、互いに通信することができる。
【００１９】
UE120は、ワイヤレスネットワーク100全体に分散してもよく、そして、各UEは静的またはモバイルでもよい。UEは、端末、移動局、加入者ユニット、局などとも呼ばれ得る。UEは、携帯電話、携帯情報端末(PDA)、ワイヤレスモデム、ワイヤレス通信デバイス、携帯型デバイス、ラップトップコンピュータ、コードレス電話、ワイヤレスローカルループ(WLL)局、または他のモバイルデバイスであってよい。UEは、マクロeNB、ピコeNB、フェムトeNB、リレー、または他のネットワークエンティティと通信することが可能であり得る。図1では、両側に矢印がある実線が、UEとサービングeNBとの間の所望の伝送を示し、サービングeNBは、ダウンリンクおよび/またはアップリンクでUEをサービスするように指定されるeNBである。両方向の矢印を有する破線は、UEとeNBとの間の干渉する送信を示す。
【００２０】
LTEは、ダウンリンクで直交周波数分割多重化(OFDM)を利用し、かつアップリンクでシングルキャリア周波数分割多重化(SC-FDM)を利用する。OFDMおよびSC-FDMは、より一般にはトーン、ビンなどと呼ばれる、複数の(K)直交副搬送波に、システム帯域幅を区切る。各副搬送波は、データで変調され得る。一般に、変調シンボルは、OFDMでは周波数領域で、SC-FDMでは時間領域で送られる。隣接する副搬送波間の間隔は、固定でもよく、副搬送波の総数(K)は、システム帯域幅に依存し得る。たとえば、Kは、1.25、2.5、5、10、または20メガヘルツ(MHz)のシステム帯域幅に対して、それぞれ、128、256、512、1024、または2048に等しくてもよい。システム帯域幅はまた、サブバンドに区切られ得る。たとえば、サブバンドは1.08MHzをカバーすることができ、1.25、2.5、5、10または20MHzのシステム帯域幅に対して、それぞれ、1、2、4、8または16のサブバンドが存在し得る。
【００２１】
図2は、基地局/eNBのうちの1つおよび図1のUEのうちの1つでもよい、基地局/eNB110およびUE120の設計のブロック図である。制限された接続の状況の場合、基地局110は図1のマクロeNB110cであってよく、UE120はUE120yであってよい。基地局110はまた、何らかの他のタイプの基地局でもよい。基地局110は、アンテナ234a〜234tを備えてもよく、UE120は、アンテナ252a〜252rを備えてもよい。
【００２２】
基地局110では、送信プロセッサ220は、データソース212からのデータと、コントローラ/プロセッサ240からの制御情報とを受信することができる。制御情報は、PBCH、PCFICH、PHICH、PDCCHなどに関するものでもよい。データは、PDSCHなどに関するものでもよい。プロセッサ220は、データと制御情報とを処理(たとえば、符号化およびシンボルマッピング)して、それぞれデータシンボルと制御シンボルとを取得することができる。プロセッサ220はまた、たとえば、PSS、SSS、およびセル特有の基準信号の、参照シンボルを生成することができる。送信(TX)多出力多入力(MIMO)プロセッサ230は、該当する場合、データシンボル、制御シンボル、および/または参照シンボルで空間的処理(たとえば、プリコーディング)を実行することができ、出力シンボルストリームを変調装置(MOD)232aから232tに提供することができる。各変調装置232は、それぞれの出力シンボルストリーム(たとえば、OFDMのなど)を処理して出力サンプルストリームを取得することができる。各変調装置232は、ダウンリンク信号を取得するために、出力サンプルストリームをさらに処理する(たとえば、アナログに変換する、増幅する、フィルタをかける、およびアップコンバートする)ことができる。変調装置232aから232tからのダウンリンク信号は、それぞれ、アンテナ234aから234tを介して送信することができる。
【００２３】
UE120において、アンテナ252a〜252rは、基地局110からダウンリンク信号を受信することができ、それぞれ、受信された信号を復調器(DEMOD)254a〜254rに提供することができる。各復調器254は、それぞれの受信された信号を調整(たとえば、フィルタリング、増幅、ダウンコンバート、およびデジタル化)して入力サンプルを取得することができる。各復調器254はさらに、(たとえば、OFDMなどのための)入力サンプルを処理して受信されたシンボルを取得することができる。MIMO検出器256は、すべての復調器254a〜254rから、受信されたシンボルを取得し、可能な場合には受信されたシンボルに対してMIMO検出を実行し、検出されたシンボルを提供することができる。受信プロセッサ258は、検出されたシンボルを処理(たとえば、復調、デインターリーブ、および復号)し、UE120のための復号されたデータをデータシンク260に提供し、復号された制御情報をコントローラ/プロセッサ280に提供し得る。
【００２４】
アップリンク上では、UE120において、送信プロセッサ264は、データソース262から(たとえば、PUSCHのための)データを受信し、処理し、コントローラ/プロセッサ280から(たとえば、PUCCHのための)制御情報を受信し、処理し得る。プロセッサ264はまた、参照信号のための参照シンボルを生成することもできる。送信プロセッサ264からのシンボルは、TX MIMOプロセッサ266によりプリコーディングされ、可能な場合には、(たとえばSC-FDMなどのために)変調器254a〜254rによりさらに処理され、基地局110に送信され得る。基地局110において、UE120からのアップリンク信号は、アンテナ234により受信され、復調器232により処理され、可能な場合にはMIMO検出器236により検出され、受信プロセッサ238によりさらに処理されて、UE120により送られた、復号されたデータおよび制御情報を得ることができる。プロセッサ238は、復号されたデータをデータシンク239に提供し、かつ復号された制御情報をコントローラ/プロセッサ240に提供することができる。
【００２５】
コントローラ/プロセッサ240および280は、それぞれ、基地局110およびUE120で動作を指図することができる。プロセッサ240ならびに/または基地局110における他のプロセッサおよびモジュールは、本明細書で説明される技法の様々な処理の実行を、実施または指示することができる。UE120におけるプロセッサ280ならびに/または他のプロセッサおよびモジュールも、図4および図5に示す機能ブロックの実行、および/または本明細書で説明する技法のための他のプロセスを実施または指示し得る。メモリ242および282は、それぞれ、基地局110およびUE120のためのデータおよびプログラムコードを記憶することができる。スケジューラ244は、ダウンリンクおよび/またはアップリンクにおけるデータ送信についてUEをスケジュールすることができる。
【００２６】
一構成では、ワイヤレス通信のためのUE120は、UEの接続モードの間、干渉する基地局から干渉を検出するための手段と、干渉する基地局の得られたリソースを選択するための手段と、得られたリソースにおける物理的なダウンリンク制御チャネルのエラー率を取得するための手段と、エラー率があらかじめ決定されたレベルを上回ることに応答して実行可能な、無線リンクの故障を宣言するための手段とを含む。一態様では、上記の手段は、上記の手段によって具陳される機能を実行するように構成されたプロセッサ、コントローラ/プロセッサ280、メモリ282、受信プロセッサ258、MIMO検出器256、復調器254a、およびアンテナ252aであり得る。別の態様では、上述の手段は、上述の手段によって具陳された機能を実行するように構成されたモジュールまたは任意の装置であり得る。
【００２７】
マルチメディアのための高帯域幅の通信を支援するための1つの機構は、単一周波数ネットワーク(SFN)動作であった。具体的には、evolved MBMS(eMBMS)(最近ではLTEの文脈においてマルチメディアブロードキャスト単一周波数ネットワーク(MBSFN)として知られるようになったものを含む)としても知られる、マルチメディアブロードキャストマルチキャストサービス(MBMS)と、LTEのためのMBMSは、そのようなSFN動作を利用することができる。SFNは、たとえば、eNBなどの無線送信機を利用して、加入者UEと通信する。eNBのグループは、信号が互いに干渉するのではなく互いに補強し合うように、同期された方式で情報を送信することができる。eMBMSの状況では、共有されるコンテンツが、LTEネットワークの複数のeNBから複数のUEに送信される。したがって、所与のeMBMSエリア内で、UEは、無線範囲内の任意の1つのeNB(または複数のeNB)からeMBMS信号を受信することができる。しかしながら、eMBMS信号を復号するために、各UEは、非eMBMSチャネルを通じて、サービングeNBからマルチキャスト制御チャネル(MCCH)情報を受信する。MCCH情報は時間とともに変化し、変更の通知が別の非eMBMSチャネルであるPDCCHを通じて提供される。したがって、特定のeMBMSエリア内でeMBMS信号を復号するために、各UEは、エリア中のeNBの1つによって、MCCH信号およびPDCCH信号を与えられる。
【００２８】
図3Aは、ワイヤレスローカルエリアネットワーク(WLAN)およびワイヤレスネットワーク(たとえば、LTEネットワーク)を含むワイヤレス通信システム300の一例を示す。たとえば、図3Aに示される例示的なシステム300に関して、第3世代パートナーシッププロジェクト(3GPP)発展型パケットシステム(EPS)ネットワークは、それぞれ第1の通信リンク312および第2の通信リンク313を介して、LTE(3GPP EPS)ネットワークノード110nとWLANノード110mの両方に接続されたUE120を有する。UE120には、ポリシー340a、340bが提供され得る。たとえば、UE120は、ホームアクセスネットワーク発見および選択機能(ANDSF)(H-ANDSF)350aから1組のポリシー340aを受信することができ、訪問先ANDSF350b(V-ANDSF)から別の組のポリシー340bを受信することができる。UE120は、ノード110n、110mのいずれか、または両方と通信している、あるいはいずれとも通信していない可能性がある。2つの通信リンクが記載されているが、本開示が2つの通信リンクに限定されないことを、当業者であれば理解するであろう。本開示の範囲または趣旨に影響を与えることなく、別の数の通信リンクを使用することもできる。
【００２９】
一例では、ポリシー340を提供するネットワークの構成要素またはモジュールは、ANDSFエンティティまたはモジュール350(または350aもしくは350bのうちの1つ)を含み得る。一例では、ANDSF350は、オープンモバイルアライアンスデバイス管理(OMA-DM)プロトコルなどを使用して、UE120と通信することができる。OMA-DM仕様に基づいて、UE120およびANDSF350によって交換される情報が管理オブジェクト(MO)において定義され得る。たとえば、ANDSFとUEとの間の通信のためのMOは、3GPP技術仕様書TS24.312などで指定され得る。
【００３０】
ANDSF350は、アクセス間ポイント名(APN)ルーティングポリシー(IARP)を提供することができる。IARPは、H-ANDSF350aによってプロビジョニングされ得る。IARPルーティング対応UE(たとえば、UE120)は、受信された/プロビジョニングされたIARPおよびユーザプリファレンスに基づいてIPフローをルーティングするために特定のAPNに関連付けられ得る、既存のインターネットプロトコル(IP)インターフェースを選択することができる。別の例では、IPインターフェースは、非シームレスなWLANオフロード(NSWO)のために使用され得る。IARPによって選択され得る各IPインターフェースは、異なるAPNに関連付けられ得、またはNSWOのために使用され得る。
【００３１】
IARPは、以下の情報を含み得る。1)有効性条件、すなわち、提供されたポリシーが有効であるときを示す条件、2)特定のIPフィルタに一致するIPフロー(たとえば特定の送信制御プロトコル(TCP)ポートに対する、または特定の宛先アドレスに対するすべてのフローなど)をルーティングするためにUEによって使用され得るAPNの優先リストをそれぞれ識別する1つまたは複数のフィルタルール。フィルタルールは、特定のIPフィルタに一致するIPフローについて制限される非シームレスなWLANオフロードのためのAPNまたはインターフェースを識別することもできる。IARPルーティングポリシーは、各フィルタルールがルール優先順位に関連付けられ得るIARPルーティングについてのフィルタルールを含み得る。
【００３２】
マッピング優先順位が提供され得る(たとえば、IARPにおいて)。ホームパブリックランドモバイルネットワーク(HPLMN)は、ISRP/システム間モビリティポリシー(ISMP)ルールが訪問先PLMN(VPLMN)によって提供されるとき、IARPマッピングがアクティブなISRP/ISMPルールによってオーバーライドされない可能性があることをUEに示すためにマッピング優先順位を設定することができる。マッピング優先順位は、PLMNごとに示され得る。マッピング優先順位は、ポリシー全体のために提供され得る、または各特定のフィルタルールに適用され得る。
【００３３】
フィルタルールは、それがIPトラフィックを既存の(すなわち、すでに確立された)パケットデータネットワーク(PDN)接続に向けるときのみ、または非シームレスWLANオフロードのために使用される既存の(すなわち、すでに確立された)インターフェースを介して適用され得る。フィルタルールにおけるAPNが既存のPDN接続に関連付けられていない、または非シームレスなWLANオフロードのために使用される既存のインターフェースに関連付けられていないとき、フィルタルールは適用されない場合がある。
【００３４】
ANDSF350によって提供される4つのタイプの情報、すなわち、システム間モビリティポリシー、アクセスネットワーク発見情報、システム間ルーティングポリシー、およびIARPルーティングポリシーがあり得る。ANDSFは、すべてのタイプの情報またはそれらのうちの1つのみを提供することができる。
【００３５】
H-ANDSFは、オペレータ要求およびローミング契約に従って、UEに配信されるべきシステム間モビリティポリシー、アクセスネットワーク発見情報、およびシステム間ルーティングポリシーを選択し得る。永続的なUEアイデンティティがH-ANDSFには既知であり、オペレータの構成の対象となる場合、利用可能なサブスクリプションデータ(たとえば、UEが使用を許可され得るアクセスネットワークまたはアクセス技術タイプのリストなど)も、システム間モビリティポリシー、アクセスネットワーク発見情報、システム間ルーティングポリシー、およびAPN間ルーティングポリシーを選択するためにH-ANDSFによって使用され得る。
【００３６】
V-ANDSFは、オペレータ要求およびローミング契約に従って、UEに配信されるべきシステム間モビリティポリシー、アクセスネットワーク発見情報、およびシステム間ルーティングポリシーを選択する。
【００３７】
UE120が、現在選択されているアクセスネットワークよりも高い優先度を有するアクセスネットワークがその近接にあり得ることを示す、その現在の位置に有効なアクセスネットワーク発見情報、システム間モビリティポリシー、またはシステム間ルーティングポリシーを有する場合、UE120は、より優先度の高いアクセスネットワークを発見し、これがユーザ選好によって許可され得る場合、再選択するための手順を実行することができる。UE120が発見および再選択手順を実行する頻度は、UE120の実装に依存することに留意されよう。
【００３８】
複数の無線アクセスインターフェースを介して同時にIPトラフィックをルーティングすることが可能ではないUE(たとえば非IPフローモビリティ(IFOM)もしくは非多元接続PDN接続(MAPCON)対応UE、またはそのような能力を無効化しているUE、またはNSWOができないUE)は、受信された/プロビジョニングされたシステム間モビリティポリシーおよびユーザ選好に基づいてシステム間モビリティのために最も好ましい利用可能なアクセスネットワークを選択し得、それがANDSFから受信した可能性があるシステム間ルーティングポリシーを無視し得る。自動アクセスネットワーク選択が使用されるとき、UEは、システム間モビリティポリシーによって制限されるように示されるアクセスネットワークを使用して、発展型パケットコア(EPC)への接続を開始しない可能性がある。UEがシステム間モビリティポリシーにおける選好によって示されるように非3GPP無線アクセスを選択するとき、UEは、回線交換(CS)サービスのために3GPPアクセスを依然として使用し得る。ユーザがUE120によって使用され得るアクセス技術タイプまたはアクセスネットワークを手動で選択することができることに留意されよう。そのような場合、ISMPは、考慮に入れられなくてもよい。
【００３９】
複数の無線アクセスインターフェースを介して同時にIPトラフィックをルーティングすることができるUE(すなわち、IFOMもしくはMAPCON対応UE、またNSWOが可能なUE)は、システム間モビリティポリシーとシステム間ルーティングポリシーの両方がプリプロビジョニングされ得、または(UEがANDSFとの通信をサポートする場合)ANDSFからその両方を受信することが可能であり得る。UEがIFOM、MAPCON、およびNSWOの能力を無効化しているとき、UEは、受信された/プロビジョニングされたシステム間モビリティポリシーおよびユーザ選好に基づいて最も好ましい利用可能なアクセスネットワークを選択することができる。UEがIFOM、MAPCON、またはNSWOの能力を有効化しているとき、UEは、受信された/プロビジョニングされたシステム間ルーティングポリシーおよびユーザ選好に基づいて最も好ましい利用可能なアクセスネットワークを選択することができる。加えて、UEは、受信された/プロビジョニングされたシステム間ルーティングポリシーにおけるフィルタルールに従って、およびユーザ選好に従って、特定のIPトラフィックフィルタに一致するトラフィックをルーティングすることができる。
【００４０】
複数の無線アクセスインターフェースを介して同時にIPトラフィックをルーティングすることはできないが、IARPをサポートするUEは、APN間ルーティングポリシー(ある場合)を評価し、それらのうちのいずれかが出て行くIPフローに一致するかどうかを決定する。出て行くIPフローに一致する最高優先順位のIARPは、このIPフローをルーティングするために使用されるべきNSWO(ポリシーにおける好ましいAPNに関連付けられたもの)のために使用されるインターフェースまたはPDN接続を識別する。
【００４１】
複数の無線アクセスインターフェースを介して同時にIPトラフィックをルーティングすることができるUEは、システム間ルーティングポリシー(ISRP)を使用することができ、また、APN間ルーティングポリシー(ある場合)を使用する。UEは、最初にAPN間ルーティングポリシー、および次いでシステム間ルーティングポリシーを評価することによって出て行くIPフローをルーティングする方法を決定することができる。IPフローがNSWOのために使用されるインターフェースを選択するIARPに一致する場合、UEは、IARPがこのIPフローについて評価されるとき、または、アクティブなIARPルールがIPフローをNSWOにマッピングする間の任意の後のとき、このフローについてのISRPを評価する必要はない。IPフローがNSWOのためのIARPおよびISRPに一致する場合、UEは、一致しているISRPを適用する。IPフローがAPNのために使用されるインターフェースを選択するIARPに一致し、このIPフローのためのIARPにおけるマッピング優先順位が(おそらく特定のVPLNの)HPLMNによって設定される場合、UEは、アクティブなISRPルールがIPフローのためのNSWOを選択する場合、このIPフローに一致しているアクティブなISRPを適用しない場合がある。
【００４２】
ローミングのとき、UEは、H-ANDSFによって提供されるポリシーとV-ANDSFによって提供されるポリシーとの間の潜在的な不一致を解決することが可能であり得る。これは、システム間モビリティポリシーとシステム間ルーティングポリシーの両方に当てはまる。H-ANDSFおよびV-ANDSFからポリシーを受信したときのUEの挙動は、第4.8.0節および3GPP TS 24.302[54]において指定され得る。
【００４３】
ISMP、アクセスネットワーク発見情報、ISRPおよびIARPは、UE上にオペレータによって静的に事前構成されていてもよい。ANDSFによってUEに提供されるISMP、アクセスネットワーク発見情報、ISRPおよびIARPは、UEにおいて事前構成される対応するポリシーおよびアクセスネットワーク発見情報よりも優先し得る。
【００４４】
一例では、IARPは、ISRPよりも優先し得る。IARPは、たとえばISRPが評価される前に、最初に評価され得る。IARPは、NSWOルールを含み得る。IARP評価がNSWOを選択する場合、そのトラフィックのためのISRPを評価する必要がない場合がある。IARP評価がAPNを選択する場合、ISRPは評価され得、NSWOにつながり得る。
【００４５】
いくつかの場合には、IARPは、既存の接続のみに適用され得る。たとえば、IARPがトラフィックまたはアプリケーションをAPN「X」にマッピングする場合であっても、APN「X」がすでに接続されている場合、マッピングは行われず、IARPマッピングの結果として、APN「X」は接続されない場合がある。
【００４６】
ルーティングポリシーに関連付けられた1つの問題は、ISRPとIARPとの間の優先順位、ならびにIARPのためのHPLMN選択とVPLMN ANDSFポリシーとの間の選好に関係する。いくつかの場合には、3GPPは、VPLMN ANDSFポリシーがHPLMN ANDSFポリシーよりも優先することを示し得る。これは故意であり、ISRPおよびISMPのために開発され得るが、以下で説明するように、HPLMN IARP対VPLMN ISRPに必ずしも適用されるとは限らない可能性がある。
【００４７】
ルーティングポリシーのために、以下の要件に対処する必要があり得る。3GPP TS 23.402は、以下を示す。
【００４８】
ローミングのとき、UEがH-ANDSFによって提供されるポリシーとV-ANDSFによって提供されるポリシーとの間の潜在的な競合を解決することが可能であるものとする。これは、システム間モビリティポリシーとシステム間ルーティングポリシーの両方に当てはまる。H-ANDSFおよびV-ANDSFからポリシーを受信したときのUEの挙動は、第4.8.0節およびTS 24.302 [54]において指定される。
【００４９】
しかしながら、3GPP TS 23.402は、ローミングシナリオではIARPに対処しておらず、ISRPおよびISMPについて対処している。オペレータは、H-ANDSFによって提供されるIARPを優先させ、H-ANDSFによって提供されるルールIARPとV-ANDSFによって提供されるISRP/ISMPとの間の対話を定義するための柔軟性を選好し得る。
【００５０】
HPLMNがいくつかのタイプのトラフィックまたはアプリケーションを特定のAPNまたはNSWOにマッピングする必要がある場合、HPLMNは、VPLMN ISRPポリシーがそのようなマッピングをオーバーライドすることを望まない場合がある。たとえば、いくつかのアプリケーションは、ホームルーティングされたかどうかにかかわらず、特定のAPN上でのみ動作する可能性があり、したがって、そのAPNを選択する必要があり得る。解決案が開発されない限り、たとえば、IARPが、アプリケーション「X」をAPN1にマッピングする場合であっても、VPLMN ISRPは、代わりに、NSWOにおけるWLANを使用してアプリケーション「X」のためのトラフィックをルーティングすることを選択することができ、その場合、アプリケーションは、働かない可能性がある。別の例では、トラフィックがセルラーリソースを使用しない、またはオペレータコアネットワークを横断しないように、HPLMNがNSWOにおけるWLANを介して特定のトラフィックをオフロードすることを望む場合、ISRPは、NSWOのためのIARP選択をオーバーライドし、代わりに、(すなわち、HPLMNにおけるPDNゲートウェイ(GW)を使用して)ホームルーティングされ得るセルラーまたはWLANのいずれかを介して、特定のAPNを介してトラフィックをトランスポートすることができる。
【００５１】
本開示の主題の態様によれば、ネットワークポリシーに基づくデータトラフィックルーティングのための方法および装置が提供される。
【００５２】
一態様では、NSWOは、IARPによって含まれ、指定され得る。たとえば、IARPは、NSWOに関連付けられたルールおよびポリシーを含み得る。IARPは、ISRPよりも優先し得る。たとえば、IARPは、ISRPの評価の前に、最初に評価され得る。いくつかの場合には、NSWOは、WLANが利用可能である(および、特にNSWOがすでに利用可能である)場合のみ選択され得る。
【００５３】
一実施形態では、IARP(たとえば、H-ANDSFからの)がNSWOの選択を示す場合、そのトラフィックについてのISRPルール(たとえば、V-ANDSFからの)が適用されない場合がある。たとえば、アクティブなISRPルールは適用されない。そのような場合、ISRPルールは無視され得る。ISRP有効性条件が変わり、新しいISRPルールが有効になるまで、ISRPルールは適用されない。
【００５４】
一実施形態では、IARP(たとえば、H-ANDSFからの)がAPNの選択を示す場合、ISRP(たとえば、V-ANDSFからの)が評価され得る。アクティブなISRPルールは、NSWOにつながり得る。オペレータは、IARP対ISRPの優先順位を示すために、指示をIARPに追加することができる。
【００５５】
一態様では、HPLMNは、アクティブなIARPルールに対応するトラフィックがAPNまたはNSWOのいずれかにマッピングすることを望み、VPLMN ISRPがマッピングをオーバーライドすることを望まない場合、IARPの優先順位を示すIARPルールにおける指示を提供することができる。たとえば、指示が提供される場合、アクティブなISRPは、IARPによる選択をオーバーライドしない可能性がある。これは、IARPがNSWOを選択した場合、ISRPはそのようなトラフィックをAPN(セルラーまたはWLANのいずれかを介して)に移動させない可能性があることを意味する。この場合、現在接続されているAPNのいずれも、マッピングに対応するトラフィックに適していないと見なされる。IARPがAPNを選択した場合、ISRPは、いつでもそのようなトラフィックをNSWOへ移動させない可能性がある。この場合、NSWOは、マッピングに対応するトラフィックに利用可能であると見なされない。
【００５６】
別の態様では、HPLMNは、アクティブなIARPルールに対応するトラフィックがAPNまたはNSWOのいずれかにマッピングすることを望み、VPLMN ISRPがマッピングをオーバーライドできることを望む場合、IARPの優先順位を示すIARPルールにおける指示を提供しない可能性がある。
【００５７】
一実施形態では、IARP優先順位の指示は、単純なフラグ(たとえば、TRUE/FALSE)でもよい。本実施形態では、TRUEフラグの設定は、HPLMNからのIARPがVPLMNからのISRPよりも優先することを示し得る。この場合、IARPがAPNを選択する場合、ISRPは、対応するトラフィックをNSWOに移動させない可能性があり、および/またはIARPがNSWOを選択する場合、ISRPは、対応するトラフィックをAPNに移動させない可能性がある。FALSEフラグの設定は、ISRPがIARPマッピングをオーバーライドすることができることを示し得る。フラグは、HPLMNからのIARPに含まれ得る。この実施形態によって、ホームオペレータ(すなわち、HPLMNのオペレータ)は、VPLMNからのISRPが、それに応じてIARPにおけるフラグを設定することによってIARPマッピングをオーバーライドすることができるかどうかを制御することができる。たとえば、ホームオペレータは、VPLMNからのISRPがIARPマッピングをオーバーライドすることを望まない場合、フラグをTRUEに設定することができる。
【００５８】
図3Bは、本開示の一実施形態によるPLMNのフラグおよびリストを含む例示的なポリシー360a(たとえば、IARP)を示す。本実施形態では、IARP優先順位の指示は、フラグ(たとえば、TRUE/FALSE)指示362、および設定が有効であると見なされるべきVPLMNのリスト364aを含み得る。UEがVPMMNリストにおけるVPLMNに接続されており、UEがVPLMNからANDSFポリシーを受信した場合、UEは、指示がたとえばTRUEに設定されているとき、VPLMNからのISRPがIARPマッピングをオーバーライドできないようにする場合がある。UEがリスト内にないVPLMNに接続されている場合、UEは、たとえば、FALSEに設定されたフラグを考慮し得る。
【００５９】
図3Cに示される別の例では、リスト364bは、ホワイトリストまたはブラックリストのうちの1つとすることができる。リスト364bがホワイトリストとして構成されるとき、VPLMNがリスト364bのメンバーである場合、UEは、VPLMNからのISRPがIARPマッピングをオーバーライドできるようにし得、VPLMNがリスト364bのメンバーではない場合、UEは、VPLMNからのISRPがIARPマッピングをオーバーライドできないようにし得る。リスト364bは、HPLMNによってプロビジョニングされるIARP360bに含まれ得る。この実施形態によって、ホームオペレータは、VPLMNをリスト364bに含めることによって、どのVPLMNがIARPマッピングをオーバーライドすることができるかをPLMNごとに指定することができる。リスト364b内の各VPLMNは、対応するVPLMNコードによって識別され得る。たとえば、リスト364b内の各VLPLMNは、一意のVPLMNコード(たとえば、VPLMNのモバイル国コード(MCC)およびモバイルネットワークコード(MNC)に基づくVPLMNコード)によって一意に識別され得る。
【００６０】
リスト364bがブラックリストとして構成されるとき、VPLMNがリスト364bのメンバーである場合、UEは、VPLMNからのISRPがIARPマッピングをオーバーライドできないようにし得、VPLMNがリスト364bのメンバーではない場合、UEは、VPLMNからのISRPがIARPマッピングをオーバーライドできるようにし得る。リスト364bは、HPLMNによってプロビジョニングされるIARP360bに含まれ得る。この実施形態によって、ホームオペレータは、VPLMNをリスト364bに含めることによって、どのVPLMNがIARPマッピングをオーバーライドすることができないかをPLMNごとに指定することができる。リスト364b内の各VPLMNは、上記で説明したように、対応するVPLMNコードによって識別され得る。
【００６１】
別の実施形態では、HPLMNからのIARPは、フィルタルールごとにIARP優先順位を示すことができる。本実施形態では、フィルタルールは、宛先アドレス、宛先ドメイン名、アプリケーション識別情報、宛先/ソースポート番号、DSCPまたはトラフィッククラスなどに基づいてトラフィックフローを識別することができ、識別されたトラフィックフローをAPNまたはNSWO(NSWOが利用可能であるとき)にマッピングすることができる。IARPは、異なるトラフィックフロー(たとえば、IPトラフィックフロー)のための複数のフィルタルールを含み得る。本実施形態では、IARPは、IARPにおけるフィルタルールのうちのどれがVPLMNからのISRPよりも優先するかを示し得る。たとえば、IARPは、フィルタルールごとにフラグを含み得る。この例では、ISRPよりも優先するフィルタルールは、対応するフラグがTRUEに設定されている可能性があり、ISRPよりも優先しないフィルタルールは、対応するフラグがFALSEに設定されている可能性がある。
【００６２】
たとえば、フィルタルールが対応するトラフィックフロー(たとえば、IPトラフィックフロー)をAPNにマッピングし、フィルタルールがVPLMNからのISRPよりも優先する場合、ISRPは、トラフィックをNSWOに移動させない可能性がある。別の例では、フィルタルールが対応するトラフィックフロー(たとえば、IPトラフィックフロー)をNSWOにマッピングし、フィルタルールがVPLMNからのISRPよりも優先する場合、ISRPは、トラフィックをAPNに移動させない可能性がある。フィルタルールがISRPよりも優先しない場合、ISRPは、フィルタルールによってマッピングをオーバーライドすることができ得る。
【００６３】
したがって、本実施形態は、IARPにおけるどのフィルタルールがVPLMNからのISRPよりも優先するか、およびIARPにおけるどのフィルタルールがISRPよりも優先しないか(たとえば、どのフィルタルールが、そのマッピングがISRPによってオーバーライドされている可能性があるか)をフィルタルールごとに指定する能力をホームオペレータに提供する。たとえば、ホームオペレータは、特定のアプリケーションのためのトラフィックをAPNにマッピングするフィルタルールがISRPよりも優先することを望み得る。この例では、アプリケーションは、トラフィックが適切に働くために特定のAPNを介してルーティングされることが必要であり得、ISRPがトラフィックをNSWOに移動させることができる場合、働くのを中止する可能性がある。別の例では、ホームオペレータは、あるトラフィックをNSWOにマッピングするフィルタルールがISRPよりも優先することを望み得る。この例では、ホームオペレータは、トラフィックがセルラーリソースを使用する、またはオペレータコアネットワークを横断することを望まない場合がある。
【００６４】
IARPが、フィルタルールごとと、PLMNごとの両方で、優先順位を示すこともできることを諒解されたい。たとえば、トラフィックについてのフィルタルールがISRPよりも優先しないことと、VPLMNがIARPマッピングをオーバーライドすることができるVPLMNのリストのメンバーであることの両方をIARPが示す場合のみ、UEは、VPLMNからのISRPが、特定のデータトラフィックのためのIARPマッピングをオーバーライドできるようにし得る。
【００６５】
図4は、ポリシー評価をルーティングするための方法の実施形態を示す図である。方法は、UE(たとえば、UE120)、モバイルエンティティなどによって実行され得る。図4は、ポリシー評価をルーティングするための方法の一実施形態を示す。方法400は、402で、ホームネットワークから、ネットワークノードルーティングに関連付けられたホームネットワークポリシーを含むメッセージを受信するステップを含み得る。たとえば、ホームネットワークポリシーは、APN間ルーティングポリシー(IARP)を含み得、ホームネットワークは、HPLMNとすることができる。この例では、UEは、HPLMNにおいてH-ANDSFエンティティからIARPを受信することができる。H-ANDSFエンティティは、H-ANDSFサーバと呼ばれる場合もある。
【００６６】
方法400は、404で、訪問先ネットワークから、ネットワークノードルーティングに関連付けられた訪問先ネットワークポリシーを含む別のメッセージを受信するステップを含み得る。たとえば、訪問先ネットワークポリシーは、システム間ルーティングポリシー(ISRP)を含み得、訪問先ネットワークは、VPLMNとすることができる。この例では、UEは、VPLMNにおいてV-ANDSFエンティティからISRPを受信することができる。
【００６７】
方法400は、406で、ワイヤレスオフロードまたは指定されたAPNのうちの1つを介してデータトラフィックをルーティングするかどうかを決定するためにホームネットワークポリシーを評価するステップを含み得る。たとえば、UEは、データトラフィックに対応するホームネットワークポリシー(たとえば、IARP)においてフィルタルールを見つけることができ、フィルタルールに従ってデータトラフィックをルーティングすることができる。この例では、フィルタルールは、データトラフィックが、ワイヤレスオフロード(たとえば、NSWO)、または指定されたAPNを介してルーティングされることを示し得る。
【００６８】
方法400は、408で、ホームネットワークポリシーが訪問先ネットワークポリシーよりも優先するかどうかを決定するためにホームネットワークポリシーを評価するステップを含み得る。たとえば、ホームネットワークポリシーは、ホームネットワークポリシーが訪問先ネットワークポリシーよりも優先するかどうかを示すフラグを含み、UEは、ホームネットワークポリシーが優先するかどうかを決定するためのフラグの値(たとえば、TRUE/FALSE)を評価することができる。この例では、フラグは、ホームネットワークポリシー全体に適用され得る。別の例では、ホームネットワークポリシーは、ホームネットワークポリシーによってデータトラフィックのルーティングをオーバーライドすることができる訪問先ネットワークのリストを含み得る。この例では、UEは、訪問先ネットワークが訪問先ネットワークのリスト内にあるかどうかを決定することができる。訪問先ネットワークがリスト内にない場合、UEは、ホームネットワークポリシーが優先することを決定することができる。また別の例では、ホームネットワークポリシーは、フィルタルールごとにホームネットワークポリシーが優先するかどうかを示し得る。この例では、UEは、データトラフィックに対応するフィルタルールが優先することをホームネットワークポリシーが示す場合、ホームネットワークポリシーが優先することを決定することができる。方法400はこれらの例に限定されないこと、および、本明細書で説明する方法のいずれかを使用して、ホームネットワークポリシー(たとえば、IARP)が優先するかどうかをUEが決定することができることを諒解されたい。
【００６９】
方法400は、410で、ホームネットワークポリシーが優先すると決定したことに応答してデータトラフィックをルーティングすることに関連付けられた訪問先ネットワークポリシーのルールを無視するステップを含み得る。その結果、訪問先ネットワークポリシー(たとえば、ISRP)のルールは、ホームネットワークポリシーによって指定されたデータトラフィックのルーティングをオーバーライドしない。
【００７０】
図5を参照すると、ネットワークノード選択のための、UE、ネットワークエンティティ、もしくは他の適したエンティティとして、またはUE、ネットワークエンティティ、もしくは他の適したエンティティ内で使用するためのプロセッサ、構成要素、もしくは類似のデバイスとして構成され得る例示的な装置500が提供される。装置500は、プロセッサ、ソフトウェア、またはその組合せ(たとえばファームウェア)によって実施される機能を表し得る機能ブロックを含み得る。
【００７１】
図示するように、一実施形態では、装置500は、ホームネットワークから、ネットワークノードルーティングに関連したホームネットワークポリシーを含むメッセージを受信するための電気的構成要素またはモジュール502を含み得る。装置500は、訪問先ネットワークから、ネットワークノードルーティングに関連した訪問先ネットワークポリシーを含む別のメッセージを受信するための電気的構成要素またはモジュール504を含み得る。装置500は、ワイヤレスオフロードまたは指定されたAPNのうちの1つを介してデータトラフィックをルーティングするかどうかを決定するためにホームネットワークポリシーを評価するための電気的構成要素またはモジュール506を含み得る。装置500は、ホームネットワークポリシーが訪問先ネットワークポリシーよりも優先するかどうかを決定するためにホームネットワークポリシーを評価するための電気的構成要素またはモジュール508を含み得る。装置500は、ホームネットワークポリシーが優先すると決定したことに応答してデータトラフィックをルーティングすることに関連付けられた訪問先ネットワークポリシーのルールを無視するための電気的構成要素またはモジュール510を含み得る。
【００７２】
関係する態様では、装置500は、少なくとも1つのプロセッサを有するプロセッサ構成要素514を随意に含み得る。プロセッサ514は、バス512または類似の通信結合を介して構成要素502〜510または類似の構成要素と動作可能に通信し得る。プロセッサ514は、電気的構成要素またはモジュール502〜510によって実行されるプロセスまたは機能を開始しスケジューリングしてよい。
【００７３】
さらなる関係する態様では、装置500は、ネットワークエンティティと通信するためのネットワークインターフェース構成要素516を含むことができる。たとえば、ネットワークインターフェース構成要素516は、ANDSFエンティティからポリシー(たとえば、ポリシー340aまたは340b)を受信するために、ANDSFエンティティ(たとえば、H-ANDSF350aまたはV-ANDSF350b)と通信することができる。別の例では、ネットワークインターフェース構成要素516は、ネットワークノード(たとえば、WLANノード、eNBなど)からデータトラフィックを受信し、および/またはネットワークノードにデータトラフィックを送信することができる。
【００７４】
装置500は、任意選択で、たとえば、メモリデバイス/構成要素518など、情報を記憶するための構成要素を含み得る。コンピュータ可読媒体またはメモリ構成要素518は、バス512などを介して装置500の他の構成要素に動作可能なように結合され得る。メモリ構成要素518は、構成要素502〜510およびその副構成要素、またはプロセッサ514のアクティビティを実行するためのコンピュータ可読命令およびデータを記憶するように適応され得る。メモリ構成要素518は、構成要素502〜510に関連する機能を実行するための命令を保持することができる。メモリ518の外部にあるものとして示されるが、構成要素502〜510はメモリ518内に存在し得ることを理解されたい。
【００７５】
情報および信号は、多種多様な技術および技法のいずれかを使用して表され得ることを、当業者は理解するであろう。たとえば、上記の説明全体を通して参照され得るデータ、命令、コマンド、情報、信号、ビット、シンボル、およびチップは、電圧、電流、電磁波、磁場もしくは磁性粒子、光場もしくは光粒子、またはその組合せによって表され得る。
【００７６】
本明細書の開示に関して記載された様々な例示的論理ブロック、モジュール、回路、およびアルゴリズムステップは、電子ハードウェア、コンピュータソフトウェア、またはその両方の組合せとして実装されてもよいことが、当業者にはさらに諒解されよう。ハードウェアおよびソフトウェアのこの互換性を明確に説明するために、様々な例示的な構成要素、ブロック、モジュール、回路、およびステップが、それらの機能の観点から一般的に上記で説明されている。そのような機能性がハードウェアとして実装されるか、またはソフトウェアとして実装されるかは、具体的な適用例および全体的なシステムに課される設計制約に依存する。当業者は、説明した機能を特定の適用例ごとに様々な方法で実装し得るが、そのような実装の決定は、本開示の範囲からの逸脱をもたらすものと解釈されるべきではない。
【００７７】
本明細書において開示に関連して説明される様々な例示的な論理ブロック、モジュール、および回路は、汎用プロセッサ、デジタル信号プロセッサ(DSP)、特殊用途向け集積回路(ASIC)、フィールドプログラマブルゲートアレイ(FPGA)またはその他のプログラマブル論理デバイス、ディスクリートゲートまたはトランジスタ論理、ディスクリートハードウェアコンポーネント、または本明細書において説明される機能を実行するように設計されたこれらの任意の組合せにより実装または実行されてもよい。汎用プロセッサはマイクロプロセッサであってもよいが、代替ではプロセッサは、任意の従来のプロセッサ、コントローラ、マイクロコントローラまたはステートマシンであってもよい。プロセッサは、たとえばDSPとマイクロプロセッサの組合せ、複数のマイクロプロセッサ、DSPコアと連結した1つまたは複数のマイクロプロセッサ、または任意の他のこのような構成など、コンピューティングデバイスの組合せとしても実装され得る。
【００７８】
本明細書において開示に関連して説明される方法またはアルゴリズムのステップは、ハードウェアにおいて、プロセッサによって実行されるソフトウェアモジュールにおいて、またはこの2つの組合せにおいて直接具現されてもよい。ソフトウェアモジュールは、RAMメモリ、フラッシュメモリ、ROMメモリ、EPROMメモリ、EEPROMメモリ、レジスタ、ハードディスク、取り外し可能ディスク、CD-ROM、または当技術分野において知られている任意のその他の形態の記憶媒体に常駐する場合がある。例示的記憶媒体がプロセッサに結合され、プロセッサが記憶媒体から情報を読み取ること、および記憶媒体に情報を書き込むことができるようにする。代替案では、記憶媒体は、プロセッサに一体とされてもよい。プロセッサおよび記憶媒体は、ASIC内に存在し得る。ASICは、ユーザ端末内に存在してもよい。代替で、プロセッサおよび記憶媒体は、ユーザ端末内の個別の構成要素として存在してもよい。
【００７９】
1つまたは複数の例示的設計では、記載された機能は、ハードウェア、ソフトウェア、ファームウェア、またはその任意の組合せにおいて実装されてもよい。ソフトウェアで実施される場合、諸機能は、1つまたは複数の命令またはコードとして、コンピュータ可読媒体に記憶されてもよく、またはコンピュータ可読媒体を介して送信されてもよい。コンピュータ可読媒体は、ある場所から別の場所へのコンピュータプログラムの転送を容易にするどのような媒体をも含む、コンピュータ記憶媒体と通信媒体との両方を含む。記憶媒体は、汎用または特殊用途コンピュータによってアクセスされ得る任意の使用可能な媒体であってもよい。限定的ではなく、一例として、そのようなコンピュータ可読媒体は、RAM、ROM、EEPROM、CD-ROMもしくはその他の光ディスク記憶装置、磁気ディスク記憶装置もしくはその他の磁気記憶装置、または望ましいプログラムコード手段を命令またはデータ構造の形態で搬送または記憶するために使用され得る、汎用もしくは特殊用途コンピュータ、または汎用もしくは特殊用途プロセッサによってアクセスされ得る任意の他の媒体を備えることができる。また、送信される信号の非一時的な記憶を伴う限り、任意の接続がコンピュータ可読媒体と適切に呼ばれ得る。たとえば、ソフトウェアが、同軸ケーブル、光ファイバケーブル、ツイストペアケーブル、デジタル加入者線(DSL)、または赤外線、無線、およびマイクロ波などのワイヤレス技術を使用してウェブサイト、サーバ、またはその他の遠隔のソースから送信される場合、同軸ケーブル、光ファイバケーブル、ツイストペアケーブル、DSL、または赤外線、無線、およびマイクロ波などのワイヤレス技術は、任意の非一時的な時間の長さの間、信号が記憶媒体またはデバイスメモリ上の送信チェーンに保持される限り、媒体の定義に含まれる。ディスク(diskおよびdisc)は、本明細書において使用されるときに、コンパクトディスク(disc)(「CD」)、レーザディスク(disc)、光ディスク(disc)、デジタル多用途ディスク(disc)(「DVD」)、フロッピー(登録商標)ディスク(disk)およびブルーレイディスク(disc)を含み、diskは通常、データを磁気的に再生し、一方、discは、レーザを用いてデータを光学的に再生する。前述の組合せも、コンピュータ可読媒体の範囲内に含まれるべきである。
【００８０】
本開示の先の説明は、いかなる当業者も本開示を作製または使用できるようにするために提供される。本開示への様々な修正が当業者には容易に明らかになり、本明細書で定義される一般原理は、本開示の趣旨または範囲から逸脱することなく、他の変形形態に適用され得る。したがって、本開示は、本明細書で説明される例および設計に限定されるものではなく、本明細書で開示される原理および新規の特徴に一致する最大の範囲を与えられるものである。
【符号の説明】
【００８１】
100  ワイヤレスネットワーク
102  マクロセル
110  eNB
120  UE
130  ネットワークコントローラ
212  データソース
220  送信プロセッサ
230  送信(TX)多出力多入力(MIMO)プロセッサ
232  変調装置
232  復調器
234  アンテナ
236  MIMO検出器
238  受信プロセッサ
239  データシンク
240  コントローラ/プロセッサ
242  メモリ
244  スケジューラ
252  アンテナ
254  復調器
256  MIMO検出器
258  受信プロセッサ
260  データシンク
262  データソース
264  送信プロセッサ
266  TX MIMOプロセッサ
280  コントローラ/プロセッサ
282  メモリ
300  ワイヤレス通信システム
312  第1の通信リンク
313  第2の通信リンク
340  ポリシー
350a  ホームアクセスネットワーク発見および選択機能
350b  訪問先ANDSF
360b  IARP
362  フラグ指示
364a  VPLMNのリスト
500  装置
502  電気的構成要素
504  電気的構成要素
506  電気的構成要素
508  電気的構成要素
510  電気的構成要素
512  バス
514  プロセッサ構成要素
516  ネットワークインターフェース構成要素
518  メモリデバイス/構成要素
【図１】
2016530834.tif 000003
【図２】
2016530834.tif 000004
【図３Ａ】
2016530834.tif 000005
【図３Ｂ】
2016530834.tif 000006
【図３Ｃ】
2016530834.tif 000007
【図４】
2016530834.tif 000008
【図５】
2016530834.tif 000009
【国際調査報告】
2016530834.tif 000010
2016530834.tif 000011
2016530834.tif 000012